(57)【特許請求の範囲】
【請求項１】
ワイヤーロープを挟んで両側に回転可能な清掃ブラシをそれぞれ設け、両清掃ブラシ間に上記ワイヤーロープを通過させつつ両清掃ブラシを回転させることで上記ワイヤーロープを清掃するエレベータのロープ清掃装置において、
両清掃ブラシの軸方向先端がそれぞれ上記ワイヤーロープの外周面に当接し、且つ両清掃ブラシの回転軸が当該回転軸と上記ワイヤーロープの両者に直交する方向で上記ワイヤーロープに対してそれぞれオフセットしていて、
上記ワイヤーロープが当該ワイヤーロープの長手方向で移動するのに伴って両清掃ブラシが回転するようになっているとともに、
両清掃ブラシは、上記ワイヤーロープの三方を覆う断面略コ字状のフレームの両側壁にそれぞれ支持されていることを特徴とするエレベータのロープ清掃装置。
【請求項２】
上記ワイヤーロープの長手方向に直交する投影面上で両清掃ブラシの先端が軸方向で互いにオーバーラップしているとともに、両清掃ブラシ同士が非接触状態となるようにそれら両清掃ブラシが上記ワイヤーロープの長手方向で互いにオフセットしていることを特徴とする請求項１に記載のエレベータのロープ清掃装置。
【請求項３】
上記フレームの開口を反底壁側から覆うカバー部材を有していることを特徴とする請求項１または２に記載のエレベータのロープ清掃装置。
【発明の詳細な説明】
【技術分野】
【０００１】
本発明は、エレベータのロープ清掃装置に関し、特に清掃ブラシをワイヤーロープに当接させつつそのワイヤーロープを長手方向に移動させることで当該ワイヤーロープを清掃するエレベータのロープ清掃装置に関する。
【背景技術】
【０００２】
ワイヤーロープを清掃するためのロープ清掃装置として例えば特許文献１に記載のものが提案されている。特許文献１に記載のロープ清掃装置は、ワイヤーロープの両側に当該ワイヤーロープと直交する方向に延びる円筒状の清掃ブラシがそれぞれ設けられており、それら両清掃ブラシを駆動装置によって回転駆動しつつワイヤーロープを長手方向に移動することにより、ワイヤーロープの外周面に付着した付着物を掻き落とすようになっている。
【先行技術文献】
【特許文献】
【０００３】
【特許文献１】特開平７−１０８２２９号公報
【発明の概要】
【発明が解決しようとする課題】
【０００４】
しかしながら、特許文献１に記載のワイヤロープ清掃装置では、上記両清掃ブラシのうちワイヤーロープの径に相当する比較的幅狭な領域にのみワイヤロープが当接して上記両清掃ブラシが偏摩耗してしまい、それら両清掃ブラシを比較的高い頻度で交換しなければならないという問題があった。
【０００５】
本発明はこのような課題に鑑みてなされたものであって、特に清掃ブラシの耐久性を向上させたエレベータのロープ清掃装置を提供することを目的としている。
【課題を解決するための手段】
【０００６】
請求項１に記載の発明は、ワイヤーロープを挟んで両側に回転可能な清掃ブラシをそれぞれ設け、両清掃ブラシ間に上記ワイヤーロープを通過させつつ両清掃ブラシを回転させることで上記ワイヤーロープを清掃するエレベータのロープ清掃装置において、両清掃ブラシの軸方向先端がそれぞれ上記ワイヤーロープの外周面に当接し、且つ両清掃ブラシの回転軸が当該回転軸と上記ワイヤーロープの両者に直交する方向で上記ワイヤーロープに対してそれぞれオフセットしていて、上記ワイヤーロープが当該ワイヤーロープの長手方向で移動するのに伴って両清掃ブラシが回転するようになっているととともに、両清掃ブラシは、上記ワイヤーロープの三方を覆う断面略コ字状のフレームの両側壁にそれぞれ支持されていることを特徴としている。
【０００７】
したがって、この請求項１に記載の発明では、上記ワイヤーロープが長手方向に移動すると、そのワイヤーロープとの摩擦によって両清掃ブラシがいわゆる連れ回りの形態をもって回転し、両清掃ブラシが上記ワイヤーロープとの当接位置を連続的に変化させながら上記ワイヤーロープの外周面から付着物を掻き落とすことになる。
また、両清掃ブラシが上記ワイヤーロープの三方を覆う断面略コ字状のフレームの両側壁にそれぞれ支持されているので、上記ワイヤーロープから掻き落とされた付着物を上記フレームによって受け止めることができる。
【０００８】
好ましくは請求項２に記載の発明のように、上記ワイヤーロープの長手方向に直交する投影面上で両清掃ブラシの先端が軸方向で互いにオーバーラップしているとともに、両清掃ブラシ同士が非接触状態となるようにそれら両清掃ブラシが上記ワイヤーロープの長手方向で互いにオフセットしていると、両清掃ブラシ同士の干渉を回避しつつ両清掃ブラシと上記ワイヤーロープとの当接を強めることができる。
【００１０】
その上で、請求項３に記載の発明のように、上記フレームの開口を反底壁側から覆うカバー部材を有していると、上記フレームの開口から外部に向けて飛散する付着物を上記カバー部材によって受け止めることができるようになる。
【発明の効果】
【００１１】
少なくとも請求項１に記載の発明によれば、両清掃ブラシの先端が上記ワイヤーロープに対する当接位置を変化させながら上記ワイヤーロープから付着物を掻き落とすようになっているため、両清掃ブラシの偏摩耗を防止してそれら両清掃ブラシの耐久性を飛躍的に向上させることができる。
加えて、上記ワイヤーロープから掻き落とされた付着物を上記フレームが受け止めることにより、その付着物が周囲に飛散することを防止できるようになるメリットがある。
【００１２】
また、請求項２に記載の発明によれば、両清掃ブラシの上記ワイヤーロープに対する当接を強めて上記ワイヤーロープの外周面からより効果的に付着物を除去できるようになる上、両清掃ブラシ同士の干渉を回避して両清掃ブラシの耐久性の低下を抑制することができる。
【００１３】
さらに、請求項３に記載の発明によれば、上記ワイヤーロープから掻き落とされた付着物を上記フレームおよび上記カバー部材が受け止めることにより、その付着物が周囲に飛散することを防止できるようになるメリットがある。
【図面の簡単な説明】
【００１４】
【図１】本発明にかかるロープ清掃装置を適用したエレベータの概略を示す図。
【図２】図１に示すロープ清掃装置を示す図であって、同図（ａ）はその平面図、同図（ｂ）はその右側面図、同図（ｃ）はその左側面図。
【図３】図２の（ａ）のＡ−Ａ断面図。
【発明を実施するための形態】
【００１５】
図１は本発明にかかるロープ清掃装置を適用したエレベータを示す概略図である。
【００１６】
図１に示すエレベータは、図示外の巻上機に巻き掛けられたメインロープ１の一端にかご２が、他端にカウンターウエイト３がそれぞれ吊下げられたいわゆるトラクション方式のものであって、図示外の巻上機によってメインロープ１を駆動することでかご２およびカウンターウエイト３が昇降路４内を昇降移動するようになっている。
【００１７】
また、昇降路４の底部には調速機５が設けられている一方、昇降路４の頂部には返しプーリ６が調速機５と対向するように設けられており、それら調速機５と返しプーリ６との間にワイヤーロープである調速機ロープ７が巻き掛けられている。調速機ロープ７は複数の金属線を撚り合わせて構成されたものであって、当該調速機ロープ７をかご２にブラケット８を介して連結することにより、かご２の移動に伴って調速機ロープ７が移動し、調速機５が回転するようになっている。そして、周知のように、かご２の速度が異常に増大したときに調速機５がこれを検出してかご２を停止させることになる。
【００１８】
一方、昇降路４内には上下一対のロープ清掃装置９，９が設けられている。両ロープ清掃装置９，９は、清掃対象物である調速機ロープ７の外周側を包囲するようにそれぞれ設けられており、調速機ロープ７のうち上方側の部分が一方のロープ清掃装置９を挿通している一方、調速機ロープ７のうち下方側の部分が他方のロープ清掃装置９を挿通している。なお、図示は省略しているが、両ロープ清掃装置９，９は、例えばかご２またはカウンターウエイト３を案内するガイドレールや昇降路４内の梁に代表されるような固定部材に着脱可能に固定されている。また、両ロープ清掃装置９，９は、昇降路４内に常時設置されているものではなく、調速機ロープ７の清掃作業時に一時的に設置されるものであって、調速機ロープ７の清掃作業完了後には取り外されることになる。
【００１９】
図２の（ａ）〜（ｃ）はロープ清掃装置９の詳細を示す図であって、同図（ａ）はロープ清掃装置９の平面図、同図（ｂ）はロープ清掃装置９の右側面図、同図（ｃ）はロープ清掃装置９の左側面図である。また、図３は図２の（ａ）におけるＡ−Ａ断面図である。
【００２０】
詳細には図２の（ａ）〜（ｃ）および図３に示すように、ロープ清掃装置９は、調速機ロープ７の三方を覆う平面視略コ字状のフレーム１０と、調速機ロープ７を挟んで両側にそれぞれ設けられ、フレーム１０の両側壁１０ａ，１０ｂにいわゆる片持ち状態でそれぞれ回転可能に軸支された一対の清掃ブラシ１１，１１と、フレーム１０のうち反底壁１０ｃ側の開口を覆うカバー部材１２と、を備えており、フレーム１０の底壁１０ｃが図示外のブラケットを介して上述した固定部材に固定されることになる。
【００２１】
フレーム１０のうち両側壁１０ａ，１０ｂの上下方向中間部には反底壁１０ｃ側へ向けて延出する舌片状のカバー装着部１０ｄがそれぞれ形成されていて、そのカバー装着部１０ｄにカバー部材１２が装着されている。
【００２２】
また、一方の側壁１０ａにはカバー装着部１０ｄの上縁を底壁１０ｃ側へ向かって延長する形態をもって所定幅の切欠部１０ｅが形成されているとともに、他方の側壁１０ｂにはカバー装着部１０ｄの下縁を底壁１０ｃ側へ向かって延長する形態をもって所定幅の切欠部１０ｆが形成されていて、両切欠部１０ｅ，１０ｆには両清掃ブラシ１１，１１を支持するベアリング１３，１３がそれぞれ装着されている。
【００２３】
両ベアリング１３，１３は略円筒状を呈するいわゆる滑り軸受であって、それら両ベアリング１３，１３の外周面のうち軸方向中間部に形成された環状溝１３ａ，１３ａに切欠部１０ｅ，１０ｆの外周縁部を受容するようにして切欠部１０ｅ，１０ｆへそれぞれ挿入されている。その上で、切欠部１０ｅ，１０ｆに沿った着脱方向における両ベアリング１３，１３の変位を両側壁１０ａ，１０ｂにそれぞれ固定されたプレート１４，１４によってそれぞれ規制している。
【００２４】
他方、両清掃ブラシ１１，１１は、ベアリング１３を挿通する回転軸１５と、その回転軸１５のうちフレーム１０の内側に臨む端部に設けられたカップブラシ１６と、をそれぞれ備えている。また、両清掃ブラシ１１，１１は、調速機ロープ７の長手方向で互いにオフセットしつつ、調速機ロープ７の長手方向に直交する投影面上で両カップブラシ１６，１６の先端同士が回転軸１５の長手方向で互いにオーバーラップするように設定されている（図２の（ａ）参照）。これにより、両清掃ブラシ１１，１１同士の干渉を避けつつ、両清掃ブラシ１６，１６と調速機ロープ７との当接を強めるようになっている。
【００２５】
カップブラシ１６は、略カップ状の基部１６ａと、その基部１６ａから反回転軸１５側へ向けて植設された多数の線状体としてのワイヤからなるブラシ部１６ｂと、をそれぞれ備えている。ブラシ部１６ｂは、基部１６ａの内周面に沿って環状に形成されたものであって、両側壁１０ａ，１０ｂにそれぞれ締結された外れ止めボルト１７，１７の先端を両ブラシ部１６ｂ，１６ｂの内周側に形成された凹部１６ｃ，１６ｃにそれぞれ挿入することにより、両清掃ブラシ１１，１１の脱落を防止している。さらに、ブラシ部１６ｂの先端部には先端側に向かって漸次小径となるテーパー部１６ｄが形成されており、調速機ロープ７が両清掃ブラシ１１，１１の回転軸１５，１５よりも反底壁１０ｃ側にオフセットした位置でテーパー部１６ｄ，１６ｄとそれぞれ当接している。換言すれば、両清掃ブラシ１１，１１の回転軸１５，１５が当該回転軸１５，１５と調速機ロープ７の両者に直交する方向で調速機ロープ７に対してオフセットしている。
【００２６】
そして、以上のように構成したロープ清掃装置９によって調速機ロープ７を清掃する際には、両ロープ清掃装置９，９を昇降路４内の上述した所定位置にそれぞれ設置した上でかご２を移動させることになる。これにより、調速機ロープ５が両清掃ブラシ１１，１１に接触しつつ長手方向に移動するとともに、その調速機ロープ５との摩擦によって各清掃ブラシ１１，１１がいわゆる連れ回りの形態をもってそれぞれ回転し、調速機ロープ７から付着物が除去される。
【００２７】
詳細には、両清掃ブラシ１１，１１は、ブラシ部１６ｂの調速機ロープ７に対する接触位置を連続的に変化させつつ、調速機ロープ７の外周面に円弧状の軌道をもって摺動することになる。その結果、調速機ロープ７を構成する各金属線間の溝部にもブラシ部１６ｂが入り込んで当該調速機ロープ７の外周面に付着した付着物が効果的に掻き落とされる。なお、調速機ロープ７の外周面から掻き落とされた付着物の大部分は、外部に飛散することなくカバー部材１２およびフレーム１０によって受け止められることになる。
【００２８】
したがって、本実施の形態によれば、カップブラシ１６のうちテーパー部１６ｄの略全域が調速機ロープ７の表面に当接することになるから、従来のようにカップブラシ１６が偏摩耗してしまうことがなく、両ロープ清掃装置９，９の清掃効果を長期に亘って維持できるようになる。
【００２９】
また、両清掃ブラシ１１，１１は調速機ロープ７の移動に伴っていわゆる連れ回りの形態をもってそれぞれ回転するようになっているため、両清掃ブラシ１１，１１を回転駆動するための駆動装置が不要となり、コスト的に有利となるメリットもある。
【００３０】
なお、本実施の形態では本発明にかかるロープ清掃装置９を調速機ロープ７に適用した例を示したが、このロープ清掃装置９はメインロープ１にも適用可能であることは言うまでもない。
【符号の説明】
【００３１】
９…ロープ清掃装置
１０…フレーム
１０ａ…フレームの側壁
１０ｂ…フレームの側壁
１０ｃ…フレームの底壁
１１…清掃ブラシ
１２…カバー部材
１５…回転軸
【図１】
0005442404.tif 000002
【図２】
0005442404.tif 000003
【図３】
0005442404.tif 000004